(57)【要約】【課題】課題の１は、贈答者は、折鶴贈答の趣旨、被贈答者の年令、要望等を勘案して百羽鶴の贈呈が良いか千羽鶴が適しているかの選択が容易で、かつ折鶴贈答用セットは、折鶴収納体、折鶴作成用紙、メッセージシート、メモリーシート及び表紙体等がワンパッケージとなっており、ユーザー（折鶴贈答者）は、購入が容易であり、文具店等の販売者側も販売し易い折鶴贈答用セットを提供すること。【解決手段】折鶴贈答用セットＳは、収納部１１、蓋体１２、ヒンジ１３からなる収納体１０と、折鶴作成用紙２０、メッセージシート４０、メモリーシート５０及び表紙体６０から構成されている。【選択図】図１
2012131210.tif 000002
【特許請求の範囲】
【請求項１】
百羽又は千羽の折鶴を収納し、贈答者から被贈答者に贈られる折鶴贈答用セットであって、
複数の折鶴が収納可能な折鶴収納部と蓋体がヒンジを介して一体とされた折鶴収納体と、
前記折鶴収納部に収納する折鶴制作用の手引き書を含む折鶴作成用紙と、
前記折鶴収納部の近傍に貼付される１羽〜１０００羽の羽数を個別に印刷した複数の羽数シールシートと、
前記折鶴贈答用セットを贈る被贈答者名、贈答者名、贈答の趣旨及び／又はメッセージ等を記載するメッセージシートと、
前記被贈答者及び／又は贈答者に関連する写真、チケット等のシート体を貼付するメモリーシートと、
前記折鶴収納体、作成用紙、メッセージシート及びメモリーシートとを、綴じこむための綴じ具を備えた表紙体と、から構成される、
ことを特徴とする、折鶴贈答用セット。
【請求項２】
前記折鶴収納体は、プラスチック樹脂材を素材とし、一体成型されている、
ことを特徴とする、請求項１に記載の折鶴贈答用セット。
【請求項３】
前記折鶴収納部における左端部と蓋体における右端部の対応位置には綴じ穴が形成され、前記折鶴収納部の上端部及び下端部には前記蓋体を固定するための固定片が延設されている、
ことを特徴とする、請求項１に記載の折鶴贈答用セット。
【請求項４】
前記蓋体の底面には折鶴収納部に収納された各折鶴を固定するための固定用凸部がそれぞれの折鶴収納部に対応する位置に形成されている、
ことを特徴とする、請求項１〜請求項３の何れかに記載の折鶴贈答用セット。
【請求項５】
百羽鶴用の折鶴収納体、作成用紙、メッセージシート及びメモリーシートの各サイズがＡ４版、Ｂ５版又はアルバムミニサイズである、
ことを特徴とする、請求項１〜請求項４の何れかに記載の折鶴贈答用セット。
【請求項６】
Ａ４版、Ｂ５版又はアルバムミニサイズにおける百羽用の折鶴収納体の制作は、１シートに２０羽の折鶴収納部を形成すると共に、蓋体の底面には各折鶴収納部に対応する位置に２０個の固定用凸部が形成された５シートからなる、
ことを特徴とする、請求項１〜請求項５の何れかに記載の折鶴贈答用セット。
【請求項７】
千羽鶴用の折鶴収納体、作成用紙、メッセージシート及びメモリーシートの各サイズがＡ４版又は写真アルバムサイズである、
ことを特徴とする、請求項１〜請求項４の何れかに記載の折鶴贈答用セット。
【請求項８】
Ａ４版における千羽用の折鶴収納体の制作は、１シートに３０羽の折鶴収納部を形成した３３シートと１シートに１０羽の折鶴収納部を形成した１シートとから形成され、
各シートの蓋体の底面には各折鶴収納部に対応する位置に３０個又は１０個の固定用凸部が形成されている、
ことを特徴とする、請求項１〜請求項４、請求項７の何れかに記載の折鶴贈答用セット。
【請求項９】
写真アルバムサイズにおける千羽用の折鶴収納体の制作は、１シートに５０羽の折鶴収納部を形成すると共に、蓋体の底面には各折鶴収納部に対応する位置に５０個の固定用凸部が形成された２０シートからなる、
ことを特徴とする、請求項１〜請求項５の何れかに記載の折鶴贈答用セット。
【請求項１０】
前記各折鶴収納部及び／又は蓋体の近傍には１〜１０００の羽数が順列して印字されている、
ことを特徴とする、請求項１〜請求項９の何れかに記載の折鶴贈答用セット。
【発明の詳細な説明】
【技術分野】
【０００１】  本発明は、折鶴贈答用セットに関し、より詳しくは、長寿、病気快癒等の慶び、願い又は励まし等を込めて制作して贈られ、折鶴を贈られた人が、折鶴収納体に美麗に収納された折鶴を随時見ることができると共にかつ、折鶴収納体の前頁又は後頁には折鶴贈呈者及び／又は被贈呈者の写真等を貼着することにより、当該被贈呈者は、慶びや病気快癒等の意欲を改めていや増すことができる。さらに全体重量を軽量とし、かつ長期間に亘り折鶴を美麗に保管することが可能な折鶴贈答用セットに関する。
【背景技術】
【０００２】  中国及び日本においては、「鶴は千年、亀万年」ということわざがあるように、鶴は長寿と慶事のシンボルとされている。また鶴が空中を飛翔する姿や地上での優雅な舞や姿勢を和服の絵柄等に採り入れたり、結婚披露宴に使用される室名、テーブル名や各種慶事等にも広く用いられている。【０００３】  従来、折鶴は、折り紙を鶴に似せて所定の手順で制作されるものであり、折鶴を千羽、紐又は糸を通し束ねて掛吊し、柱体等に取り付けたり、透明樹脂ケース内に収納して贈呈されている。古来より、千羽鶴は長寿、病気の快癒等に効能があると信じられ、例えば喜寿、傘寿、米寿又は白寿等を迎えた人や、病気又は怪我等による入院患者等に親族、友人、知己等によってプレゼントされる慣習がある。その他に千羽鶴は、スポーツ大会での健闘を祈念して、当該チーム等にチームメイトや関係者等から贈られることもある。このように、千羽鶴は、その制作者（贈呈者）一人一人からの「祝い」、「祈り」又は「励まし」等の心が込められたものであり、贈られた人（被贈呈者）は、これにより「慶び」、「望み」又は「勇気」、「闘志」等が得られる。【０００４】  本願出願人による調査によれば、例えば、特許文献１の「折鶴作成方法」（第１頁、参照）、特許文献２の「三角形の紙で作る折鶴」（第１頁、参照）等の折鶴に関する先行技術文献が発見されたが、千羽鶴の制作及び折鶴を収納するアルバム帳ないし千羽鶴と写真等の一体型アルバム帳あるいは折鶴を収納する折鶴等収納台紙等に関連する先行技術文献は、検索されなかった。【０００５】  上述のように、従来の千羽鶴の制作は、１〜複数の人が折り紙を所定の手順で制作した折鶴を千羽集束し、紐又は糸を通して綴じ込み、柱体又は透明樹脂ケースの天板等に縦状に掛吊し、その制作者（贈呈者）から個人又はチーム等の被贈呈者に贈呈されている。【０００６】  しかしながら、上記、従来の千羽鶴の制作、折鶴の収納及び贈呈後の管理等には、以下のような欠点や問題点等がある。即ち、
（１）折り終った折鶴の数量が不明になり、たびたび数え直す必要があり、制作完了日を予測することが困難である。
（２）折鶴を束ねた後、紐や糸での通し及び綴じ込み作業が煩瑣である。
（３）柱体やケース内に縦状に掛吊された千羽鶴は、贈られた人にはその一部しか見ることができない。
（４）千羽鶴を贈られた人は、千羽鶴の制作に携わった個々の名前を知りたい、又は礼状を差し出したいという希望があるが、従来の千羽鶴では、それが困難である。
（５）従来の千羽鶴の展示方法、特に、柱体に掛吊しているものには、千羽鶴の表面に埃が付着しやすいので、長期の保存には適さない。また例えば、病気や怪我等が快癒した後の処理、収納等に困惑している。
（６）例えば、入院患者への千羽鶴について、折鶴の首、尾羽及び両翼は折らない方がよいとされている。
（７）近年における多忙な日常生活にあって、一人で所定期間内に千羽の折鶴を制作することは極めて困難であり、特に高齢者には肉体的また精神的に大きな負担となる。
等々が指摘されている。
そこで、本願発明者は、上記従来技術が有する各種問題点に鑑み、これらの問題点を解決するために鋭意検討を重ね、特許文献３を取得したものである。特許文献３の「千羽鶴収納ファイル及び折鶴用台紙」は、千羽鶴の被贈呈者が、折鶴用台紙内に美麗に配設された折鶴及び当該折鶴制作者の名前やメッセージ等を随時見ることができると共に、これにより被贈呈者は、「慶び」、「望み」、「勇気」又は「闘志」等が繰り返し得られる千羽鶴収納ファイルの提供という主な課題を解決することができた。
【先行技術文献】
【特許文献】
【０００７】
【特許文献１】特開２００４−２２９７３９号公報
【特許文献２】特開平９−２８５６５０号公報
【特許文献３】実用新案登録第３１５５７５４号公報
【発明の概要】
【発明が解決しようとする課題】
【０００８】  しかしながら、特許文献３には以下のような不具合があることが判明した。すなわち（１）折鶴収納台紙の制作工程が複雑であり、コスト高になっている。（２）アルバム全体の厚さ寸法が嵩高（約１１Ｃｍ以上）で、折鶴収納台紙の素材を厚紙としたとき、表紙体を含む全体重量がかなり重いものとなる。したがってその取り扱いが不便で、特に被贈呈者が高齢のときはきわめて不都合であることが判明した。本願発明者は、上記の不具合等を解消するために鋭意検討を重ねた結果、本願発明を完成したものである。また、現代社会における多忙な日常生活にあって、所定期間内に千羽の折鶴を制作することは極めて困難であり、特に高齢者には肉体的また精神的に大きな負担となる。また千羽の折鶴を収納した収納台紙の枚数が多数枚（例えば、Ａ４版台紙に３６個の折鶴を収納して２８枚）となり、アルバム帳全体の厚さが嵩高（約１１Ｃｍ以上）となり、その重量も重くなり、収納・保管上の問題や不具合がある。そこで、本願発明者は、千羽鶴贈呈の本来の目的が被贈呈者に対するお祝、病気等の快癒、激励等であることを考えるに、例えば、被贈呈者が米寿を迎えるとすれば、そのお祝いとして、百羽の折鶴あるいは８８羽の折鶴を贈呈することで贈呈者の心は十分に被贈呈者に伝わることに着目して本願発明を完成させた。【０００９】  本願発明者は、上記の不具合等を解消するために鋭意検討を重ねた結果、本願発明を完成したものである。そこで本願発明が解決しようとする、
（１）第１の課題は、贈答者は、折鶴贈答の趣旨、被贈答者の年令、要望等を勘案して百羽鶴の贈呈が良いか千羽鶴が適しているかの選択が容易で、かつ折鶴贈答用セットは、折鶴収納体、折鶴作成用紙、メッセージシート、メモリーシート及び表紙体等がワンパッケージとなっており、ユーザー（折鶴贈答者）は、購入が容易であり、文具店等の販売者側も販売し易い折鶴贈答用セットを提供すること。
（２）第２の課題は、大量生産を可能とし、製作コスト、販売価格を安価にし、折鶴収納体の全体重量を軽くする折鶴贈答用セットを提供すること。
（３）第３の課題は、収納された折鶴が、折鶴収納体から飛び出たり、散乱することがない折鶴贈答用セットを提供すること。
（４）第４の課題は、固定用凸部により収納部内の各折鶴はしっかりと固定され、折鶴収納体を繰り返し開閉しても支障がない折鶴贈答用セットを提供すること。
（５）第５の課題は、百羽の折鶴収容に最適なＡ４版、Ｂ５版又はアルバムミニサイズの折鶴贈答用セットを提供すること。
（６）第６の課題は、百羽用の折鶴用贈答セットは、２０羽の折鶴収納シートを５シート制作することで、ほぼ完成するので、制作者（折鶴贈呈者）に精神的また肉体的なストレスがかからない折鶴贈答用セットを提供すること。
（７）第７の課題は、千羽の折鶴収容に最適なＡ４版又は写真アルバムサイズの折鶴贈答用セットを提供すること。
（８）第８の課題は、千羽用の折鶴収納体は、合計３４シートとなり、全体重量を台紙製と比較し、軽量とすることが可能な折鶴贈答用セットを提供すること。
（９）第９の課題は、全体重量を軽量とすると共に、厚さを薄くしてデラックス感を付与することができる折鶴贈答用セットを提供すること。
（１０）第１０の課題は、制作者（折鶴贈呈者）が、特に千羽鶴プレゼントに際しては、折鶴制作の進捗状況を確認することが容易で、制作完了日、贈呈日等の予定が設定し易い折鶴贈答用セットを提供すること。
【課題を解決するための手段】
【００１０】  課題を解決するための手段は、本願、特許請求の範囲の各請求項に記載の発明であり、その具体的な解決手段は、以下の通りである。
＊＊＊＊＊＊＊＊＊＊＊＊＊＊＊＊＊＊＊＊＊＊＊＊＊＊＊＊＊＊＊＊＊＊＊＊＊＊＊
本願発明における特許請求の範囲、明細書及び要約書等に記載の用語についての解釈上の疑義を解消すべく、以下に本発明の特許請求の範囲、明細書等に記載する用語の説明を行うこととする。
「折鶴贈答用セット」とは、慶祝、お見舞又は激励等の目的で制作、贈呈される従来の千羽鶴を改良するもので、折鶴収納体、折鶴作成用紙、メッセージシート、メモリーシート及び表紙体等が、ワンパッケージとなっている。
「折鶴収納体」とは、合成樹脂材を素材とし、１シートに複数の折鶴を収納するための凹部を設けた折鶴収納部と、当該折鶴収納部の上面を閉塞する蓋体からなり、折鶴収納部と蓋体はヒンジ部を介して、一体的に制作される。
「折鶴収納部」とは、制作された折鶴を一羽毎に収納するための複数の凹部をいう。その外郭線形状は、上部を平面視鋭角状とした３の山部と２の谷部とし、下部を緩やかな山形として全体を王冠状に形成してなる。当該折鶴収納部の大きさは、制作される折鶴の大きさと同大又はやや大とされ、かつ折鶴は、その首部、尾羽及び両翼は、下向きに折曲しない平坦状に折り畳まれた態様で収納される。
「メッセージシート」とは、百羽鶴又は千羽鶴贈呈の趣旨、被贈答者名、贈答者名、メッセージ等を記載する紙製用紙をいう。
「メモリーシート」とは、百羽鶴又は千羽鶴贈呈の被贈答者及び／又は贈答者に関連する写真、チケット等のシート体を貼付する紙製用紙をいう。
「固定片」とは、折鶴収納部の上端部及び下端部に延設され、折鶴収納部の上面に形成された折曲片をいう。蓋体の上端及び下端部を固定する。
「固定用凸部」とは、蓋体の底面に設けられた凸状の押え片をいう。折鶴収納部に収められた折鶴の周端部を上部から押圧し、折鶴が外方に飛び出すことを防ぐためのもので、形状は折鶴収納部と相似形で、大きさはやや小としている。
「アルバムミニサイズ」とは、写真アルバムサイズより小なるサイズをいう。例えば、台紙サイズは、タテ２３５ｍｍ×ヨコ２３０ｍｍ（有効サイズは、２３５ｍｍ×ヨコ１９０ｍｍ）である。
＊＊＊＊＊＊＊＊＊＊＊＊＊＊＊＊＊＊＊＊＊＊＊＊＊＊＊＊＊＊＊＊＊＊＊＊＊＊＊【００１１】  上記の課題を解決するための第１の発明は、請求項１に記載の発明であり、
百羽又は千羽の折鶴を収納し、贈答者から被贈答者に贈られる折鶴贈答用セットであって、複数の折鶴が収納可能な折鶴収納部と蓋体がヒンジを介して一体とされた折鶴収納体と、前記折鶴収納部に収納する折鶴制作用の手引き書を含む折鶴作成用紙と、前記折鶴収納部の近傍に貼付される１羽〜１０００羽の羽数を個別に印刷した複数の羽数シールシートと、前記折鶴贈答用セットを贈る被贈答者名、贈答者名、贈答の趣旨及び／又はメッセージ等を記載するメッセージシートと、前記被贈答者及び／又は贈答者に関連する写真、チケット等のシート体を貼付するメモリーシートと、
前記折鶴収納体、作成用紙、メッセージシート及びメモリーシートとを、綴じこむための綴じ具を備えた表紙体と、から構成される、ことを特徴としている。【００１２】  上記の課題を解決するための第２の発明は、請求項２に記載の発明であり、
前記折鶴収納体は、プラスチック樹脂材を素材とし、一体成型されている、ことを特徴としている。【００１３】  上記の課題を解決するための第３の発明は、請求項３に記載の発明であり、
前記折鶴収納部における左端部と蓋体における右端部の対応位置には綴じ穴が形成され、前記折鶴収納部の上端部及び下端部には前記蓋体を固定するための固定片が延設されている、ことを特徴としている。【００１４】  上記の課題を解決するための第４の発明は、請求項４に記載の発明であり、
前記蓋体の底面には折鶴収納部に収納された各折鶴を固定するための固定用凸部がそれぞれの折鶴収納部に対応する位置に形成されている、ことを特徴としている。【００１５】  上記の課題を解決するための第５の発明は、請求項５に記載の発明であり、
百羽鶴用の折鶴収納体、作成用紙、メッセージシート及びメモリーシートの各サイズがＡ４版、Ｂ５版又はアルバムミニサイズである、ことを特徴としている。【００１６】  上記の課題を解決するための第６の発明は、請求項６に記載の発明であり、
Ａ４版、Ｂ５版又はアルバムミニサイズにおける百羽用の折鶴収納体の制作は、１シートに２０羽の折鶴収納部を形成すると共に、蓋体の底面には各折鶴収納部に対応する位置に２０個の固定用凸部が形成された５シートからなる、ことを特徴としている。【００１７】  上記の課題を解決するための第７の発明は、請求項７に記載の発明であり、
千羽鶴用の折鶴収納体、作成用紙、メッセージシート及びメモリーシートの各サイズがＡ４版又は写真アルバムサイズである、ことを特徴としている。【００１８】  上記の課題を解決するための第８の発明は、請求項８に記載の発明であり、
Ａ４版における千羽用の折鶴収納体の制作は、１シートに３０羽の折鶴収納部を形成した３３シートと１シートに１０羽の折鶴収納部を形成した１シートとから形成され、各シートの蓋体の底面には各折鶴収納部に対応する位置に３０個又は１０個の固定用凸部が形成されている、ことを特徴としている。【００１９】  上記の課題を解決するための第９の発明は、請求項９に記載の発明であり、
写真アルバムサイズにおける千羽用の折鶴収納体の制作は、１シートに５０羽の折鶴収納部を形成すると共に、蓋体の底面には各折鶴収納部に対応する位置に５０個の固定用凸部が形成された２０シートからなる、ことを特徴としている。【００２０】  上記の課題を解決するための第１０の発明は、請求項１０に記載の発明であり、
前記各折鶴収納部及び／又は蓋体の近傍には１〜１０００の羽数が順列して印字されている、ことを特徴としている。
【発明の効果】
【００２１】  本発明に係る、折鶴贈答用セットは、上記のような特徴的構成要件から構成され、特徴的構成要件に応じた、以下のような本願発明特有の効果を奏する。また、上記のような特徴的構成要件から構成された折鶴贈答用セットによれば、本願発明の課題を十分解消することができた。すなわち、第１の発明によれば、「百羽又は千羽の折鶴を収納し、贈答者から被贈答者に贈られる折鶴贈答用セットであって、複数の折鶴が収納可能な折鶴収納部と蓋体がヒンジを介して一体とされた折鶴収納体と、前記折鶴収納部に収納する折鶴制作用の手引き書を含む折鶴作成用紙と、前記折鶴収納部の近傍に貼付される１羽〜１０００羽の羽数を個別に印刷した複数の羽数シールシートと、前記折鶴贈答用セットを贈る被贈答者名、贈答者名、贈答の趣旨及び／又はメッセージ等を記載するメッセージシートと、前記被贈答者及び／又は贈答者に関連する写真、チケット等のシート体を貼付するメモリーシートと、
前記折鶴収納体、作成用紙、メッセージシート及びメモリーシートとを、綴じこむための綴じ具を備えた表紙体と、から構成される」という、特徴的構成により、贈答者は、折鶴贈答の趣旨、被贈答者の年令、要望等を勘案して百羽鶴の贈呈が良いが千羽鶴が適しているかの選択が容易で、かつ折鶴贈答用セットは、折鶴収納体、折鶴作成用紙、メッセージシート、メモリーシート及び表紙体等がワンパッケージとなっており、ユーザー（折鶴贈答者）は、購入が容易であり、文具店等の販売者側も販売し易い折鶴贈答用セットの提供という、第１の課題を解決することができた。【００２２】  第２の発明によれば、「前記折鶴収納体は、プラスチック樹脂材を素材とし、一体成型されている」という、特徴的構成により、大量生産を可能とし、製作コスト、販売価格を安価にし、折鶴収納体の全体重量を軽くする折鶴贈答用セットの提供という、第２の課題を解決することができた。【００２３】  第３の発明によれば、「前記折鶴収納部における左端部と蓋体における右端部の対応位置には綴じ穴が形成され、前記折鶴収納部の上端部及び下端部には前記蓋体を固定するための固定片が延設されている」という、特徴的構成により、収納された折鶴が、折鶴収納体から飛び出たり、散乱することがない折鶴贈答用セットの提供という、第３の課題を解決することができた。【００２４】  第４の発明によれば、「前記蓋体の底面には折鶴収納部に収納された各折鶴を固定するための固定用凸部がそれぞれの折鶴収納部に対応する位置に形成されている」という、特徴的構成により、固定用凸部により収納部内の各折鶴はしっかりと固定され、折鶴収納体を繰り返し開閉しても支障がない折鶴贈答用セットの提供という、第４の課題を解決することができた。【００２５】  第５の発明によれば、「百羽鶴用の折鶴収納体、作成用紙、メッセージシート及びメモリーシートの各サイズがＡ４版、Ｂ５版又はアルバムミニサイズである」という、特徴的構成により、百羽の折鶴収容に最適なＡ４版、Ｂ５版又はアルバムミニサイズの折鶴贈答用セットの提供という、第５の課題を解決することができた。【００２６】  第６の発明によれば、「Ａ４版、Ｂ５版又はアルバムミニサイズにおける百羽用の折鶴収納体の制作は、１シートに２０羽の折鶴収納部を形成すると共に、蓋体の底面には各折鶴収納部に対応する位置に２０個の固定用凸部が形成された５シートからなる」という、特徴的構成により、百羽用の折鶴用贈答セットは、２０羽の折鶴収納シートを５シート制作することで、ほぼ完成するので、制作者（折鶴贈呈者）に精神的また肉体的なストレスがかからない折鶴贈答用セットの提供という、第５の課題を解決することができた。【００２７】  第７の発明によれば、「千羽鶴用の折鶴収納体、作成用紙、メッセージシート及びメモリーシートの各サイズがＡ４版又は写真アルバムサイズである」という、特徴的構成により、千羽の折鶴収容に最適なＡ４版又は写真アルバムサイズの折鶴贈答用セットの提供という、第７の課題を解決することができた。【００２８】  第８の発明によれば、「Ａ４版における千羽用の折鶴収納体の制作は、１シートに３０羽の折鶴収納部を形成した３３シートと１シートに１０羽の折鶴���納部を形成した１シートとから形成され、各シートの蓋体の底面には各折鶴収納部に対応する位置に３０個又は１０個の固定用凸部が形成されている」という、特徴的構成により、千羽用の折鶴収納体は、合計３４シートとなり、全体重量を台紙製と比較し、軽量とすることが可能な折鶴贈答用セットの提供という、第８の課題を解決することができた。【００２９】  第９の発明によれば、「写真アルバムサイズにおける千羽用の折鶴収納体の制作は、１シートに５０羽の折鶴収納部を形成すると共に、蓋体の底面には各折鶴収納部に対応する位置に５０個の固定用凸部が形成された２０シートからなる」という、特徴的構成により、全体重量を軽量とすると共に、厚さを薄くしてデラックス感を付与することができる折鶴贈答用セットの提供という、第９の課題を解決することができた。【００３０】  第１０の発明によれば、「前記各折鶴収納部及び／又は蓋体の近傍には１〜１０００の羽数が順列して印字されている」という、特徴的構成により、制作者（折鶴贈呈者）が、特に千羽鶴プレゼントに際しては、折鶴制作の進捗状況を確認することが容易で、制作完了日、贈呈日等の予定が設定し易い折鶴贈答用セットの提供という、第１０の課題を解決することができた。
【図面の簡単な説明】
【００３１】
【図１】は、本発明に係る、百羽の折鶴贈答用セットの構成部材を分離した状態を示す斜視図である。
【図２】は、同折鶴贈答用セットにおける１シートに２０羽の折鶴収納部を形成したＡ４版折鶴収納体の平面図で、（ａ）は、折鶴を収納する前の平面図、（ｂ）は、蓋体を折り畳んで折鶴収納部の上面を閉塞した状態の平面図、（ｃ）は、折鶴収納部に折鶴を２羽収納した状態の、図２（ｂ）における２−２線拡大断面図である。
【図３】は、１シートに２０羽の折鶴収納部を形成したＢ５版折鶴収納体の平面図である。
【図４】は、１シートに２０羽の折鶴収納部を形成したアルバムミニサイズの折鶴収納体の平面図である。
【図５】は、１シートに３０羽の折鶴収納部を形成したＡ４版折鶴収納体の平面図である。
【図６】は、１シートに１０羽の折鶴収納部を形成したＡ４版折鶴収納体の平面図である。
【図７】は、１シートに５０羽の折鶴収納部を形成した写真アルバムサイズの折鶴収納体の平面図である。
【発明を実施するための形態】
【００３２】  以下、本発明に係る、折鶴贈答用セットＳの一実施形態について、図面を参照して詳細に説明する。図１は、本発明に係る、Ａ４版サイズにおける折鶴贈答用セットＳの構成部材を分離した状態を示している。折鶴贈答用セットＳは、複数の折鶴Ｃ１、Ｃ２・・・が収納可能な折鶴収納部（以下、収納部１１という）と蓋体１２が、ヒンジ１３を介して一体とされた折鶴収納体（以下、収納体１０という）と、折鶴制作用の手引き書（不図示）を含む折鶴作成用紙２０と、羽数番号３０ｎを印刷した羽数シールシート３０と、被贈答者名４１、贈答者名４３、贈答の趣旨及び／又はメッセージ４４等を記載するメッセージシート４０と、被贈答者４１及び／又は贈答者４３に関連する写真５１、チケット等のシート体５２等を貼付するメモリーシート５０と、収納体１０、作成用紙２０、メッセージシート４０及びメモリーシート５０とを、綴じこむための綴じ具６４を備え、オモテ表紙６１、ウラ表紙６２及び背表紙６３からなる表紙体６０から構成されている。折鶴Ｃ１、Ｃ２・・・は、所定の大きさに裁断された複数の色紙を用いて、図示するように首部、尾羽及び両翼は折り曲げない形で制作され、収納体１０の収納部１１に順次収納される。収納体１０は、プラスチック樹脂材、例えばポリスチレン系樹脂、ポリプロピレン系樹脂又はポリエチレン樹脂を素材とし、公知の押出成型又は射出成型によって製作されるもので、収納部１１、蓋体１２及びヒンジ１３、収納部１１の上端部及び下端部に延設され、内側に折曲された固定片１４、１５、綴じ代１６、綴じ穴１７等は一体的に製作される。１００羽の折鶴Ｃ１、Ｃ２・・・は、それぞれ５シートの収納体１０に２０ケずつ分納される。なお羽数番号３０ｎは、羽数シールシート３０から剥離して貼付されるか、又は収納体１０を成型時に印字することもできる。
【００３３】  図２は、１シートに２０羽の収納部１１を形成したＡ４版の収納体１０で、各収納部１１の外郭形状は、図２（ａ）に示すように、上部を平面視鋭角状とした３の山部と２の谷部とし、下部を緩やかな角度の山形として全体を王冠状に形成すると共に、その大きさは、首部、尾羽及び両翼を下向きに折り曲げない形状に折り畳まれた折鶴Ｃ１、Ｃ２の外形とほぼ同大又はやや大としている。収納部１１は、ヨコ４列、タテ５列に順序よく美麗に凹部（図２（ｃ）、参照）が２０ケ所形成され、蓋体１２の底面には、固定用凸部１２ａが各収納部１１に対応する位置に配設されている。固定用凸部１２ａは、折鶴Ｃ１、Ｃ２・・・が２０羽収納部１１内に収納され、ヒンジ１３を介して折り畳まれたとき、折鶴Ｃ１、Ｃ２・・・が凹部１１ａから飛び出すことを防ぐためのものである。固定用凸部１２ａの外郭形状は、収納部１１の外郭形状とほぼ同じで、その大きさは、収納部１１より小とされている。図２（ｂ）は、蓋体１２を折り畳んで収納部１１の上面を閉塞した状態を示し、図示するように蓋体１２の上端部、下端部は、固定片１４及び１５によって固定され、折鶴Ｃ１、Ｃ２・・・が凹部１１ａから飛び出すことを防ぐことができる。図２（ｃ）は、図２（ｂ）における２−２線拡大断面図で、折鶴Ｃ２が収納部１１の凹部１１ａに収納され、蓋体１２によって閉塞された状態を示し、折鶴Ｃ２の周縁部Ｃ２ａは、蓋体１２の固定用凸部１２ａによって収納部１１の凹部１１ａの底面隅部に押圧されて固定される。
【００３４】  図３は、Ｂ５版の収納体１０を示し、１シートに２０羽の収納部１１と蓋体１２を形成してなるもので、折鶴贈答用セットＳは、Ａ４版と同様に５シートの収納体１０に１００羽の折鶴Ｃ１、Ｃ２・・・を分納し、折鶴制作用の手引き書（不図示）を含む折鶴作成用紙２０と、羽数番号３０ｎを印刷した羽数シールシート３０と、被贈答者名４１、贈答者名４３、贈答の趣旨及び／又はメッセージ４４等を記載するメッセージシート４０と、被贈答者４１及び／又は贈答者４３に関連する写真５１、チケット等のシート体５２等を貼付するメモリーシート５０と、収納体１０、作成用紙２０、メッセージシート４０及びメモリーシート５０とを、綴じこむための綴じ具６４を備え、オモテ表紙６１、ウラ表紙６２及び背表紙６３からなる表紙体６０から構成されている。収納部１１は、ヨコ４列、タテ５列に順序よく美麗に凹部１１ａが２０ケ所形成され、蓋体１２の底面には、固定用凸部１２ａが各収納部１１に対応する位置に配設されている。Ｂ５版の収納部１１とこれに収納する折鶴Ｃ１、Ｃ２・・・は、Ａ４版の収納部１１と折鶴Ｃ１、Ｃ２・・・より小となっている。
【００３５】  図４は、アルバムミニサイズ（例えば、タテ２３５ｍｍ×ヨコ１９０ｍｍ）の収納体１０を示し、１シートに２０羽の収納部１１と蓋体１２を形成してなるもので、折鶴贈答用セットＳは、Ａ４版と同様に５シートの収納体１０に１００羽の折鶴Ｃ１、Ｃ２・・・を分納し、折鶴制作用の手引き書（不図示）を含む折鶴作成用紙２０と、羽数番号３０ｎを印刷した羽数シールシート３０と、被贈答者名４１、贈答者名４３、贈答の趣旨及び／又はメッセージ４４等を記載するメッセージシート４０と、被贈答者４１及び／又は贈答者４３に関連する写真５１、チケット等のシート体５２等を貼付するメモリーシート５０と、収納体１０、作成用紙２０、メッセージシート４０及びメモリーシート５０とを、綴じこむための綴じ具６４を備え、オモテ表紙６１、ウラ表紙６２及び背表紙６３からなる表紙体６０から構成されている。収納部１１は、ヨコ５列、タテ４列に順序よく美麗に凹部１１ａが２０ケ所形成され、蓋体１２の底面には、固定用凸部１２ａが各収納部１１に対応する位置に配設されている。アルバムミニサイズの収納部１１とこれに収納する折鶴Ｃ１、Ｃ２・・・は、Ａ４版及びＢ５版の収納部１１と折鶴Ｃ１、Ｃ２・・・より小となっている。
【００３６】  図５は、千羽鶴の折鶴贈答用セットＳを構成するＡ４版の収納体１０を示し、１シートに３０羽の収納部１１と蓋体１２を形成してなるもので、３３シートの収納体１０に９９０羽の折鶴Ｃ１、Ｃ２・・・を分納し、図６に示すＡ４版の収納体１０に９９１羽〜１０００羽の折鶴Ｃ９９１〜Ｃ１０００を分納し、合計３４シートで千羽鶴を収納するようになっている。したがって、折鶴制作用の手引き書（不図示）を含む折鶴作成用紙２０は、少なくとも１０００羽以上を必要とする。また、各収納部１１の近傍には、１羽〜１０００羽の印字された羽数番号Ｐｎが付記されている。被贈答者名４１、贈答者名４３、贈答の趣旨及び／又はメッセージ４４等を記載するメッセージシート４０、被贈答者４１及び／又は贈答者４３に関連する写真５１、チケット等のシート体５２等を貼付するメモリーシート５０、収納体１０、作成用紙２０、メッセージシート４０及びメモリーシート５０とを、綴じこむための綴じ具６４を備えた、オモテ表紙６１、ウラ表紙６２及び背表紙６３からなる表紙体６０から構成されている。３０羽用の収納部１１は、ヨコ５列、タテ６列に順序よく美麗に凹部１１ａが３０ケ所形成され、蓋体１２の底面には、固定用凸部１２ａが各収納部１１に対応する位置に配設されている。また収納部１１とこれに収納する折鶴Ｃ１、Ｃ２・・・は、アルバムミニサイズ及びＢ５版の収納部１１と折鶴Ｃ１、Ｃ２・・・より小となっている。１０羽用の収納部１１は、ヨコ３列、タテ３列＋１ケが設けられ、蓋体１２の底面には、これに対応する位置に合計１０ケの固定用凸部１２ａが配設されている。
【００３７】  図７は、千羽鶴の折鶴贈答用セットＳを構成するために、１シートに５０羽の収納部１１を形成した写真アルバムサイズの収納体１０を示している。図示するように、収納部１１の上部左端部と下端右端部には大なる収納部１１Ｌを２ケ所形成し、その他の部分に小なる収納部１１ｍを４８ケ所順序良く、美麗に形成している。したがって１０００羽の折鶴を収納するための収納体１０は、２０シートが用意される。蓋体１２の底面には、固定用凸部１２ａが各収納部１１に対応する形状、大きさ及び位置に配設されている。折鶴作成用紙２０の大は、少なくとも４０羽以上、小なるものは、９６０羽以上が用意される。また、各収納部１１の近傍には、１羽〜１０００羽の印字された羽数番号Ｐｎが付記されている。メッセージシート４０、メモリーシート５０及び表紙体６０等は、所定の写真アルバムサイズのもので構成される。
【符号の説明】
【００３８】Ｓ  折鶴贈答用セット、Ｃ１、Ｃ２・・・  折鶴、１０  折鶴収納体、１１  折鶴収納部、１１ａ  凹部、１２  蓋体、１２ａ  固定用凸部、１３  ヒンジ、１４、１５  固定片、２０  折鶴作成用紙、３０  羽数シールシート、４０  メッセージシート、４１  被贈答者名、４３  贈答者名、４４  趣旨及び／又はメッセージ、５０  メモリーシート、６０  表紙体、Ｐｎ  印字された羽数番号
【図１】
2012131210.tif 000003
【図２】
2012131210.tif 000004
【図２】
2012131210.tif 000005
【図３】
2012131210.tif 000006
【図４】
2012131210.tif 000007
【図５】
2012131210.tif 000008
【図６】
2012131210.tif 000009
【図７】
2012131210.tif 000010
【手続補正書】
【提出日】平成23年3月1日(2011.3.1)
【手続補正１】
【補正対象書類名】図面
【補正対象項目名】全図
【補正方法】変更
【補正の内容】
【図１】
2012131210.tif 000011
【図２ａ】
2012131210.tif 000012
【図２ｂ】
2012131210.tif 000013
【図２ｃ】
2012131210.tif 000014
【図３】
2012131210.tif 000015
【図４】
2012131210.tif 000016
【図５】
2012131210.tif 000017
【図６】
2012131210.tif 000018
【図７】
2012131210.tif 000019